(57)【要約】【課題】  エレベータの選択スイッチを設置することなく保守点検対象のエレベータを選択でき無線コンソールと通信できるエレベータ制御装置を提供することである。【解決手段】  条件判定手段１４は、エレベータのホール呼びボタン１２から受信手段１３を介して入力されたエレベータ号機を選択するための号機選択入力信号が、記憶手段１５に記憶された号機選択条件データと一致するか否かを判定し、号機選択入力信号と記憶手段１５に記憶された号機選択条件データとが一致するときは、通信制御手段１６は無線コンソール１７との通信を可能とする。【選択図】図１
2005112527.tif 000002
【特許請求の範囲】
【請求項１】
エレベータのホール呼びボタンからエレベータ号機を選択するための号機選択入力信号を受信する受信手段と、自己のエレベータの号機選択条件データを予め記憶する記憶手段と、前記号機選択入力信号が前記記憶手段に記憶された号機選択条件データと一致するか否かを判定する条件判定手段と、前記条件判定手段が前記号機選択入力信号と前記記憶手段に記憶された号機選択条件データとが一致すると判定したときは無線コンソールとの通信を許可する通信制御手段とを備えたことを特徴とするエレベータ制御装置。
【発明の詳細な説明】
【技術分野】
【０００１】
本発明は、無線コンソールを用いてエレベータの保守点検が可能なエレベータ制御装置に関する。
【背景技術】
【０００２】
エレベータの保守点検の際には、保守現場においてエレベータの保守作業を行う。この場合、保守に必要なデータをエレベータ制御装置に送信すると共に、エレベータ制御装置の応答信号やエレベータ制御装置に蓄積されたデータを読み出す作業が行われる。
【０００３】
このような保守点検作業を行うにあたっては、保守員はコンソールを有線（ワイヤ）でエレベータ制御装置に接続し、保守点検対象であるエレベータ制御装置に対してデータの送受信を行っていた。また、携帯端末装置に保守プログラムをインストールし、エレベータ制御装置との間や保守のためのホストコンピュータとの間で、少なくともエレベータの保守現場では無線でデータを送受信できるようにしたものもある（例えば、特許文献１参照）。
【特許文献１】特開２００２−３７５５８号公報（図１）
【発明の開示】
【発明が解決しようとする課題】
【０００４】
しかし、保守点検対象であるエレベータが複数台である場合には、いずれかのエレベータ制御装置を選択してから無線コンソールで通信する必要がある。すなわち、複数台のエレベータのうちのいずれかのエレベータの選択を行わずに無線コンソールからアタッチ要求をした場合には、その無線コンソールからのアタッチ要求に対して、受信範囲にある全ての号機がアタッチ処理を実行してしまう。
【０００５】
そこで、従来においては、受信範囲内にある複数台の中から接続号機を選択するために、エレベータの各号機毎に選択スイッチ等を設置していた。このため、設置エレベータの全てに選択スイツチを設ける必要があり、また、選択スイッチ等の設置スペースも必要になる。
【０００６】
本発明の目的は、エレベータの選択スイッチを設置することなく保守点検対象のエレベータを選択でき無線コンソールと通信できるエレベータ制御装置を提供することである。
【課題を解決するための手段】
【０００７】
本発明のエレベータ制御装置は、エレベータのホール呼びボタンからエレベータ号機を選択するための号機選択入力信号を受信する受信手段と、自己のエレベータの号機選択条件データを予め記憶する記憶手段と、前記号機選択入力信号が前記記憶手段に記憶された号機選択条件データと一致するか否かを判定する条件判定手段と、前記条件判定手段が前記号機選択入力信号と前記記憶手段に記憶された号機選択条件データとが一致すると判定したときは無線コンソールとの通信を許可する通信制御手段とを備えたものである。
【発明の効果】
【０００８】
本発明によれば、無線コンソールとエレベータ制御装置とを接続する際の対象号機選択を、予め設定した選択号機条件データに基づきホール呼びボタンを押すことで号機選択するので、選択スイッチ等を別に設置することなく対象エレベータと通信することができる。これによりコストダウン及び省スペース化が図れる。
【発明を実施するための最良の形態】
【０００９】
本発明は、ホール呼びボタンを予め設定した順番で押すことで無線コンソールとの通信を行う号機を選択可能とし、エレベータコストの削減と省スペース化を実現した。
【００１０】
図１は本発明の実施の形態に係わるエレベータ制御装置１１のブロック構成図である。図１では、エレベータ制御装置１１のうち本発明に関連する機能のみブロック図で示している。
【００１１】
エレベータ制御装置１１にはホール呼びボタン１２が接続されている。ホール呼びボタン１２はＵＰ呼びボタン１２ａ及びＤＮ呼びボタン１２ｂを有しており、通常運転モード時には乗客により上方向の呼びや下方向の呼びが入力される。本発明の実施の形態では、エレベータの保守点検モードの際に、複数台のエレベータの各号機を選択するボタンとして使用される。すなわち、エレベータの保守点検モードの際に、ＵＰ呼びボタン１２ａ及びＤＮ呼びボタン１２ｂの操作の組み合わせで、複数台のエレベータの各号機を識別し、号機選択入力信号を出力する。
【００１２】
ホール呼びボタン１２からの号機選択入力信号は、エレベータ制御装置１１の受信手段１３に入力され、条件判定手段１４により自己のエレベータ号機が選択されたか否かの判定が行われる。すなわち、記憶手段１５には予め自己のエレベータの号機選択条件データが記憶されており、条件判定手段１４は受信手段１３を介して入力された号機選択入力信号が記憶手段１５に予め記憶された号機選択条件データに一致するか否かの判定を行う。号機選択入力信号と記憶手段１５に記憶された号機選択条件データとが一致する場合には、条件判定手段１４は通信制御手段１６に対し無線コンソール１７との通信を許可する許可信号を出力し、これにより無線コンソール１７との通信が可能となる。
【００１３】
記憶手段１５に予め記憶される号機選択条件データは、例えば、ホール呼びボタン１２のＵＰ呼びボタン１２ａを押しながらＤＮ呼びボタン１２ｂを１回押した場合には１号機を意味する号機選択条件データであり、２号機はＵＰ呼びボタン１２ａを押しながらＤＮ呼びボタン１２ｂを２回押した場合、以下同様に、ＵＰ呼びボタン１２ａを押しながらＤＮ呼びボタン１２ｂをｎ回押した場合にはｎ号機を意味する号機選択条件データであるとして、予め記憶手段１５に記憶しておく。
【００１４】
そして、ホール呼びボタン１２から入力された号機選択入力信号が記憶手段１５に格納された号機選択条件データと一致した場合は、条件判定手段１４は通信制御手段１６に起動要求をかけ通信可能状態とする。これにより、無線コンソール１７との接続要求信号の受信態勢に入る。
【００１５】
一方、ホール呼びボタン１２から入力された号機選択入力信号がいずれの号機選択条件とも一致しない場合は、通常の呼びデータとする。例えば、ＵＰ呼びボタン１２ａを押しながらＤＮ呼びボタン１２ｂが押されない場合は通常の上方向の呼びデータとする。
【００１６】
本発明の実施の形態によれば、ホール呼びボタンを予め設定した順番で押すことで無線コンソールと通信可能となる号機選択ができるので、号機選択のための選択スイッチを別途設ける必要がなく、エレベータコストの削減と省スペース化を図ることができる。
【産業上の利用可能性】
【００１７】
本発明は、エレベータの保守点検作業時における無線コンソールを使用する場合に適用できる。
【図面の簡単な説明】
【００１８】
【図１】本発明の実施の形態に係わるエレベータ制御装置のブロック構成図。
【符号の説明】
【００１９】
１１…エレベータ制御装置、１２…ホール呼びボタン、１３…受信手段、１４…条件判定手段、１５…記憶手段、１６…通信制御手段、１７…無線コンソール
【図１】
2005112527.tif 000003